(57)【要約】【課題】構成の複雑化を伴うことなく、呼吸性変動や体動等の影響を抑制した（キャンセルした）血圧状態を把握できる生体情報測定装置、作動方法、及びプログラムを提供すること。【解決手段】血圧脈波測定手段１２は、被験者の血圧脈波を測定する。単位脈波生成手段１３は、被験者の心拍の解析に基づいて、血圧脈波から一心拍又は複数心拍に対応する単位脈波を生成する。単位脈波抽出手段１４は、単位脈波生成手段１３が生成した単位脈波を解析し、当該解析に応じて必要な単位脈波と必要でない単位脈波を区別して抽出する。出力手段１５は、単位脈波抽出手段１４により区別された必要な単位脈波と必要でない単位脈波を異なる表示効果で表示した表示画面を出力する。【選択図】図１
2018011984.tif 000002
【特許請求の範囲】
【請求項１】
被験者の血圧脈波を測定する血圧脈波測定手段と、
前記被験者の心拍の解析に基づいて、前記血圧脈波から一心拍又は複数心拍に対応する単位脈波を生成する単位脈波生成手段と、
前記単位脈波生成手段が生成した前記単位脈波を解析し、当該解析に応じて必要な前記単位脈波と必要でない前記単位脈波を区別して抽出する単位脈波抽出手段と、
前記単位脈波抽出手段により区別された必要な前記単位脈波と必要でない前記単位脈波を異なる表示効果で表示した表示画面を出力する出力手段と、
を備える、生体情報測定装置。
【請求項２】
前記出力手段は、前記単位脈波抽出手段により区別された必要な前記単位脈波と必要でない前記単位脈波を異なる色または異なる線種で表示した前記表示画面を出力する、請求項１に記載の生体情報測定装置。
【請求項３】
前記出力手段は、前記単位脈波抽出手段が抽出した必要な前記単位脈波に対し、統計処理を行って算出した平均血圧値を出力する、ことを特徴とする請求項１または請求項２に記載の生体情報測定装置。
【請求項４】
血圧脈波測定手段が被験者の血圧脈波を測定する血圧脈波測定ステップと、
単位脈波生成手段が前記被験者の心拍の解析に基づいて、前記血圧脈波から一心拍又は複数心拍に対応する単位脈波を生成する単位脈波生成ステップと、
単位脈波抽出手段が前記単位脈波生成ステップにおいて生成した前記単位脈波を解析し、当該解析に応じて必要な前記単位脈波と必要でない前記単位脈波を区別して抽出する単位脈波抽出ステップと、
出力手段が前記単位脈波抽出ステップにおいて区別された必要な前記単位脈波と必要でない前記単位脈波を異なる表示効果で表示した表示画面を出力する出力ステップと、を備える、生体情報測定装置の作動方法。
【請求項５】
コンピュータに、
被験者の心拍の解析に基づいて、前記被験者の血圧脈波から一心拍又は複数心拍に対応する単位脈波を生成する単位脈波生成ステップと、
前記単位脈波生成ステップにおいて生成した前記単位脈波を解析し、当該解析に応じて必要な前記単位脈波と必要でない前記単位脈波を区別して抽出する単位脈波抽出ステップと、
前記単位脈波抽出ステップにおいて区別された必要な前記単位脈波と必要でない前記単位脈波を異なる表示効果で表示した表示画面を出力する出力ステップと、を実行させる、プログラム。
【発明の詳細な説明】
【技術分野】
【０００１】
本発明は被験者の血圧を観血的に測定する生体情報測定装置、作動方法、及びプログラムに関する。
【背景技術】
【０００２】
患者管理を行う上で、血圧は重要な指標とされている。特に重症患者に対し、観血的に動脈圧や静脈圧をモニタリングするのが一般的である。ここで観血式血圧測定とは、血管や心臓内にカテーテル等を留置し、連続的に血圧波形や血圧値を測定するものである。
【０００３】
心臓は胸腔内にあるため、患者の呼吸による胸腔内圧の変動の影響を観血血圧波形が受けてしまい、正確な血圧波形や血圧値が得られないという問題があった。例えば右心房近傍の中心静脈圧（ＣＶＰ：Central Venous Pressure）は低圧であり、呼吸性変動の影響を顕著に受けてしまう。また低圧系のパラメータは、呼吸性変動のみならず体動等によっても影響を受けてしまう恐れがある。
【０００４】
そこで従来技術では、上記のような観血血圧波形の呼吸性変動等の影響を抑えるために、得られる血圧値に対して平均化処理を行っていた。
【０００５】
また特許文献１は、呼吸センサにより取得した呼吸波形に同期して血圧値を算出する生体信号測定装置を開示している。
【先行技術文献】
【特許文献】
【０００６】
【特許文献１】特開２０１０−２００９０１号公報
【非特許文献】
【０００７】
【非特許文献１】桜井、渡辺、「ＭＥ早わかりＱ＆Ａ３  血圧計・心拍出量計・血流計」、南江堂、p.33-92
【発明の概要】
【発明が解決しようとする課題】
【０００８】
しかしながら、平均化処理を行う従来手法は、呼吸性変動等の影響が大きい場合には十分な効果が得られないという問題があった。また特許文献１の手法では、血圧測定の構成とは別に呼吸波形センサを設ける必要があった。
【０００９】
そこで本発明は、構成の複雑化を伴うことなく、呼吸性変動や体動等の影響を抑制した（キャンセルした）血圧状態を把握できる生体情報測定装置、作動方法、及びプログラムを提供することを主たる目的とする。
【課題を解決するための手段】
【００１０】
本発明にかかる生体情報測定装置の一態様は、
被験者の血圧脈波を測定する血圧脈波測定手段と、
前記被験者の心拍の解析に基づいて、前記血圧脈波から一心拍又は複数心拍に対応する単位脈波を生成する単位脈波生成手段と、
前記単位脈波生成手段が生成した前記単位脈波を解析し、当該解析に応じて必要な前記単位脈波と必要でない前記単位脈波を区別して抽出する単位脈波抽出手段と、
前記単位脈波抽出手段により区別された必要な前記単位脈波と必要でない前記単位脈波を異なる表示効果で表示した表示画面を出力する出力手段と、
を備える、ものである。
【００１１】
本発明にかかる血圧解析方法の一態様は、
血圧脈波測定手段が被験者の血圧脈波を測定する血圧脈波測定ステップと、
単位脈波生成手段が前記被験者の心拍の解析に基づいて、前記血圧脈波から一心拍又は複数心拍に対応する単位脈波を生成する単位脈波生成ステップと、
単位脈波抽出手段が前記単位脈波生成ステップにおいて生成した前記単位脈波を解析し、当該解析に応じて必要な前記単位脈波と必要でない前記単位脈波を区別して抽出する単位脈波抽出ステップと、
出力手段が前記単位脈波抽出ステップにおいて区別された必要な前記単位脈波と必要でない前記単位脈波を異なる表示効果で表示した表示画面を出力する出力ステップと、
を備える、ものである。
【００１２】
本発明にかかるプログラムの一態様は、
コンピュータに、
被験者の心拍の解析に基づいて、前記被験者の血圧脈波から一心拍又は複数心拍に対応する単位脈波を生成する単位脈波生成ステップと、
前記単位脈波生成ステップにおいて生成した前記単位脈波を解析し、当該解析に応じて必要な前記単位脈波と必要でない前記単位脈波を区別して抽出する単位脈波抽出ステップと、
前記単位脈波抽出ステップにおいて区別された必要な前記単位脈波と必要でない前記単位脈波を異なる表示効果で表示した表示画面を出力する出力ステップと、を実行させる、ものである。
【００１３】
本発明では、被験者の心拍を基に血圧脈波から単位脈波を生成している。この単位脈波を解析し、異常値等ではない必要な単位脈波と、異常値等を示す必要でない単位脈波と、を抽出する。この抽出した必要な単位脈波と必要でない単位脈波を区別して出力することにより、ユーザは呼吸性変動等の影響を取り除いた正確な血圧脈波の状態を把握することができる。
【発明の効果】
【００１４】
本発明は、構成の複雑化を伴うことなく、呼吸性変動や体動等の影響を抑制した（キャンセルした）血圧状態を把握できる生体情報測定装置、作動方法、及びプログラムを提供することができる。
【図面の簡単な説明】
【００１５】
【図１】実施の形態１にかかる生体情報測定装置１の構成を示すブロック図である。
【図２】実施の形態１にかかる中心静脈（ＣＶ）の血圧波形を示す図である。
【図３】実施の形態１にかかる心電図測定手段１１が測定した心電図と、血圧脈波測定手段１２が測定した血圧波形と、を示す図である。
【図４】実施の形態１にかかる単位脈波生成手段１３が生成した単位脈波を重畳的に表示したグラフである。
【図５】実施の形態１にかかる単位脈波抽出手段１４が生成したヒストグラムを示す図である。
【図６】平均血圧値の最頻値を含む階級の単位脈波のみを表示したグラフである。
【図７】実施の形態１にかかる出力手段１５の出力表示例を示す図である。
【図８】実施の形態１にかかる出力手段１５の出力表示例を示す図である。
【発明を実施するための形態】
【００１６】
＜実施の形態１＞
以下、図面を参照して本発明の実施の形態について説明する。図１は、本実施の形態にかかる生体情報測定装置１の構成を示すブロック図である。生体情報測定装置１は、心電図測定手段１１、血圧脈波測定手段１２、単位脈波生成手段１３、単位脈波抽出手段１４、及び出力手段１５を備える。生体情報測定装置１は、好適には観血式血圧計であるが、観血的に血圧を測定できるものであれば他の機能も有するものであってもよい。
【００１７】
心電図測定手段１１は、心電図電極、増幅回路等により構成される。心電図電極は、被験者の胸部等に装着される。心電図測定手段１１は、心電図電極から得られた心電図信号を基に心電図（ＥＣＧ：Electrocardiogram）を取得し、取得した心電図（ＥＣＧ）を単位脈波生成手段１３に供給する。
【００１８】
血圧脈波測定手段１２は、被験者の血圧脈波を観血的に測定する。血圧脈波測定手段１２は、血圧トランスデューサ、増幅回路、カテーテル、各種チューブ、三方コック等により構成される。ここで血圧脈波測定手段１２が測定する血圧脈波は、任意の血管の脈波であればよいが、以下の説明では中心静脈（ＣＶ）に関するものとする。医師等のユーザは、血圧の測定開始にあたって血圧値のゼロ点調整を行う。血圧トランスデューサを大気開放状態にした上で血圧トランスデューサにかかる圧力をゼロにする。血圧脈波測定手段１２は、血圧トランスデューサによって血圧を血圧信号に変換し、当該血圧信号を単位脈波生成手段１３に供給する。なお血圧脈波測定手段１２による血圧脈波の測定処理は、一般的な観血式血圧測定処理（非特許文献１）と同様であればよい。
【００１９】
図２を参照して、血圧脈波測定手段１２が測定した中心静脈（ＣＶ）の血圧脈波について説明する。図２は、中心静脈（ＣＶ）の血圧脈波の例を示す。中心静脈の圧（ＣＶＰ）は、呼吸性変動や体動等の影響を受けやすい。図２においても、呼吸に由来するアーチファクトの影響を受けた波形が表れている。
【００２０】
再び図１を参照する。単位脈波生成手段１３は、心電図測定手段１１が測定した心電図を基にして、血圧脈波から複数の単位脈波を生成する。単位脈波とは、心拍を基にして血圧脈波から生成したものであり、一定単位（好適には一心周期当たり）の中心静脈の脈波である。詳細には単位脈波生成手段１３は、心電図からＱＲＳ波を検出し、ＱＲＳ波の検出タイミングから一心周期を把握し、当該一心周期を用いて血圧脈波から複数の単位脈波を生成する。以下、図３を参照して単位脈波生成手段１３による生成処理の具体例を説明する。
【００２１】
図３は、心電図測定手段１１が測定した心電図と、血圧脈波測定手段１２が測定した血圧脈波と、を示す図である。単位脈波生成手段１３は、心電図を解析し、ＱＲＳ波を検出する。いわゆるＲＲ間隔（ＲＲ  Ｉｎｔｅｒｖａｌ）は、心拍間隔と同視できる。そのため単位脈波生成手段１３は、このＲＲ間隔を用いて血圧脈波から複数の単位脈波を生成する。ＲＲ間隔と同じ時間で血圧脈波を分割した場合、単位脈波は一心周期に対応する時間の血圧脈波となる。なお上述の単位脈波生成手段１３によるＱＲＳ波の検出は、心臓の拍動の時間的間隔を把握するためのものである。そのため単位脈波生成手段１３は、精度は落ちるもののＴ波の検出を用いて単位脈波の生成を行うことも可能である。また単位脈波生成手段１３は、複数心拍（例えば二拍毎）に対応する単位脈波を生成することも可能であるが、一拍単位で単位脈波を生成することにより、後述する単位脈波抽出手段１４等で精密な分析を行うことができる。
【００２２】
図４は、生成した単位脈波を重畳的に表示したグラフである。図４の例では、呼吸性変動等の影響により、単位脈波の平均血圧値や脈波の波形にズレがあることを示している。具体的には、少数の単位脈波の脈圧値が全体的に高くなっていることがわかる。
【００２３】
再び図１を参照する。単位脈波生成手段１３は、上記の生成処理により算出した複数の単位脈波を単位脈波抽出手段１４に供給する。単位脈波抽出手段１４は、この単位脈波の解析を行い、当該解析に応じて必要な単位脈波のみを抽出する。以下、単位脈波の解析及び抽出処理の詳細について説明する。
【００２４】
単位脈波抽出手段１４は、単位脈波生成手段１３が生成した単位脈波のデータを統計的に解析する。例えば単位脈波抽出手段１４は、各単位脈波の平均血圧値を算出し、当該平均血圧値を用いたヒストグラムを生成する。図５は、図４に示す単位脈波のデータを基に単位脈波抽出手段１４が生成したヒストグラムの一例である。
【００２５】
図５に示すヒストグラムは、各単位脈波の平均血圧値（例えば小数点第１位を四捨五入して算出する）を用いて生成されている。なおヒストグラムは、各単位脈波の最低血圧値や最高血圧値を用いて生成されてもよい。図５の例では、１０ｍｍＨｇが最頻値となる。単位脈波抽出手段１４は、この平均血圧値が最頻値に属する（または最頻値の近辺に属する）単位脈波のみを抽出する。図６は、図４に示す単位脈波から平均血圧値の最頻値を含む階級の単位脈波のみを抽出した例を示す図である。最頻値の単位脈波は、呼吸性変動等のアーチファクトの影響を受けていない安定した単位脈波と捉えることができる。
【００２６】
なお、単位脈波抽出手段１４は、上述の例では最頻値を用いて単位脈波の抽出を行ったがこれに限られない。単位脈波抽出手段１４の抽出処理は、呼吸変動等の影響を受けた異常な単位脈波を除外して必要な単位脈波のみを抽出することを目的としている。そのため単位脈波抽出手段１４は、最頻値に代わって平均値や中央値を用いて必要な単位脈波を抽出してもよい。すなわち単位脈波抽出手段１４は、単位脈波生成手段１３が生成した単位脈波のデータを基に統計的な解析を行い、当該統計解析により得られた統計値を用いて必要な単位脈波のみを抽出できる構成であればよい。ただし呼吸性変動の影響がある場合、中心静脈波等の低圧系のパラメータは、人工呼吸器使用時には高くなり、自発呼吸時には低くなることが想定される。そのため単位脈波抽出手段１４は、平均値や中央値ではなく、最頻値を用いて処理を行うことが好ましい。
【００２７】
単位脈波抽出手段１４は、抽出した単位脈波を出力手段１５に供給する。ここで単位脈波抽出手段１４は、抽出した単位脈波のみを出力手段１５に供給してもよく、抽出対象となった単位脈波にフラグ等をつける等の区別を行った上で全ての単位脈波を出力手段１５に供給してもよい。
【００２８】
出力手段１５は、単位脈波抽出手段１４が抽出した単位脈波に基づいた出力を行う。以下、出力手段１５による出力処理の例を説明する。
【００２９】
第１の出力例を説明する。出力手段１５は、抽出した単位脈波の平均血圧値等を生体情報測定装置１に設けられた表示モニタに表示する。出力手段１５は、抽出した単位脈波に対する統計処理（例えば加算平均である。以下、加算平均を行うものとして説明する。）を行って平均血圧値（例えば“１０．４ｍｍＨｇ”）を算出し、算出した平均血圧値を表示モニタに表示する。なお出力手段１５は、算出した平均血圧値を表示モニタに表示するとともに生体情報測定装置１に内蔵されたハードディスク等に書き込んでもよい。
【００３０】
続いて第２の出力例を、図７を参照して説明する。出力手段１５は、抽出した単位脈波のみを表示モニタに表示する。また抽出した単位脈波を用いて加算平均を行って平均的な脈波を算出し、当該脈波も表示モニタに表示する。図７の例では、抽出した単位脈波から算出した平均的な脈波を太丸で示している。なお出力手段１５は、加算平均により求めた平均的な脈波を連続波形で表示することも勿論可能である。ユーザ（医師や看護師）は、図７を参照することにより、呼吸性変動等の影響を受けていないと考えられる中心静脈の脈波形や脈圧値の概要を視覚的に把握することができる。
【００３１】
次に第３の出力例を、図８を参照して説明する。出力手段１５は、抽出した単位脈波と、抽出対象外となった単位脈波と、を異なる表示効果で表示する。図８の例では、抽出対象となった単位脈波は実線で示されており、抽出対象外となった単位脈波は点線で示されている。ユーザ（医師や看護師）は、図８を参照することにより、呼吸変動等の影響を受けていないと考えられる中心静脈の脈波形や脈圧値の概要を視覚的に把握することができる。またユーザ（医師や看護師）は、呼吸性変動等の影響がどの程度あるのか（呼吸数変動等の影響を受けている脈波の数（割合）、呼吸数変動等により脈波がどの程度変化するか）を視覚的に把握することができる。
【００３２】
続いて本実施の形態にかかる生体情報測定装置１の効果について説明する。単位脈波生成手段１３は、血圧脈波から複数の単位脈波を生成する。そして単位脈波抽出手段１４は、単位脈波を解析することによって必要な単位脈波のみを抽出する。この抽出の際に呼吸変動等の影響を受けた単位脈波は、抽出対象外となる。出力手段１５は、この抽出した単位脈波をユーザに把握できる形で出力することにより、ユーザは正確な血圧脈波の状態（血圧波形、血圧値等）を把握することができる。
【００３３】
また上述の手法において生体情報測定装置１は、呼吸に関するパラメータを測定することなく、呼吸変動等の影響を受けていないと推定される単位脈波のみを抽出している。すなわち生体情報測定装置１は、呼吸センサ等を用いることなく、呼吸性変動等の影響を抑制した血圧状態（血圧波形、血圧値等）の算出を行うことができる。また呼吸センサを用いた手法の場合、体動等の影響を考慮することが困難である。一方、単位脈波抽出手段１４は、アーチファクトの原因に関わらず異常値を除外できる構成であるため、正確に単位脈波を抽出することができる。
【００３４】
単位脈波生成手段１３は、心電図からＱＲＳ波を検出し、ＲＲ間隔を用いて血圧脈波から一拍単位の単位脈波を生成することが好ましい。一拍毎の単位脈波を用いた分析を行うことにより、心拍に対応した血圧の脈波分析ができる。また、ＱＲＳ波は心電図において電圧値が鋭く変化するピークである。そのため単位脈波生成手段１４は、ＱＲＳ波を用いることによって精度良く単位脈波を生成することができる。
【００３５】
単位脈波抽出手段１４は、生成された単位脈波に対して統計処理を行い、統計値（好適には最頻値）を用いて必要な単位脈波のみを抽出している。ここで行われる統計処理は、一般的なものであり、計算量も多くない。すなわち単位脈波抽出手段１４は、簡素な計算処理により必要な単位脈波のみを精度良く抽出することができる。
【００３６】
出力手段１５は、単位脈波抽出手段１４が抽出した単位脈波を様々な形態で出力（好適には表示）する。例えば出力手段１５が抽出された単位脈波の平均血圧値を算出して表示することにより、ユーザは呼吸性変動等の影響を受けていない正確な平均血圧値を把握することができる。
【００３７】
また出力手段１５は、図７に示すように呼吸性変動等の影響を受けていないと推定される単位脈波のみを表示画面に表示することも可能である。ユーザ（医師、看護師等）は、この表示（図７）を参照することにより呼吸性変動等の影響を受けていないと考えられる中心静脈の脈波形や脈圧値を視覚的に把握することができる。
【００３８】
また出力手段１５は、図８に示すように呼吸性変動等の影響を受けていないと推定される単位脈波を、呼吸性変動等の影響を受けていると推定される単位脈波とは表示効果（色、線種等）を変えて表示することも可能である。ユーザ（医師、看護師等）は、この表示（図８）を参照することにより呼吸性変動等の影響がどの程度あるのか（呼吸数変動により脈波がどの程度変化するか等）を視覚的に把握することができる。
【００３９】
（変形例１）
上述の説明では、単位脈波生成手段１３は心電図を基に単位脈波の生成を行ったが必ずしもこれに限られない。例えば生体情報測定装置１は、心電図測定手段１１に代わり動脈圧測定手段（図示せず）を有していてもよい。当該動脈圧測定手段は、動脈血の血圧の変化を測定する。動脈圧は、心臓の拍動のタイミングに応じて圧値が変化する。単位脈波生成手段１３は、この圧値の変化に応じて心拍周期を算出し、算出した心拍周期を用いて血圧脈波から単位脈波を生成する。なお、その他の処理については、上述の説明と同様である。
【００４０】
（変形例２）
また単位脈波生成手段１３は、心電図測定手段１１（または動脈圧測定手段）の測定した情報を使用せず、血圧脈波自体（上述の例では中心静脈の脈波）を解析し、当該解析結果に応じて血圧脈波から複数の単位脈波を生成してもよい。図４を参照すると、一心拍に対応する単位脈波の多くには概ね３つの極大値（図中の点線軸付近）が現れる。単位脈波生成手段１３は、この規則性を検出し、心拍から心拍までの時間を推定する。そして単位脈波生成手段１３は、推定した心拍から心拍までの時間を用いて血圧脈波から単位脈波を生成すればよい。
【００４１】
すなわち単位脈波生成手段１３は、心拍の解析（心電図や心拍周期の解析等）を用いて血圧脈波から単位脈波を生成する構成であればよい。
【００４２】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００４３】
上述したが、本発明は中心静脈のみならず任意の脈（特に低圧系の血圧値を持つ脈）の解析に非常に有用である。例えば血圧脈波測定手段１２は、肺動脈（Pulmonary Artery）等の血圧脈波を検出する構成であってもよい。
【００４４】
単位脈波生成手段１３の単位脈波の生成処理、単位脈波抽出手段１４の単位脈波の抽出処理、及び出力手段１５の出力処理は、生体情報測定装置１内で動作するコンピュータプログラムとして実現することができる。すなわち生体情報測定装置１は、一般的なコンピュータが備えるＣＰＵ（Central Processing Unit）、メモリ装置等の構成も備えているものとする。
【００４５】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４６】
１  生体情報測定装置
１１  心電図測定手段
１２  血圧脈波測定手段
１３  単位脈波生成手段
１４  単位脈波抽出手段
１５  出力手段
【図１】
2018011984.tif 000003
【図２】
2018011984.tif 000004
【図３】
2018011984.tif 000005
【図４】
2018011984.tif 000006
【図５】
2018011984.tif 000007
【図６】
2018011984.tif 000008
【図７】
2018011984.tif 000009
【図８】
2018011984.tif 000010